(57)【要約】      （修正有）【課題】内側カテーテルと外側カテーテルを固定する操作を円滑に行える医療用長尺体を提供することである。【解決手段】医療長尺体は、イントロデューサー用シース１０と、イントロデューサー用シースの内腔に挿入可能なダイレーター２０と、を備える。イントロデューサー用シースは、イントロデューサー用シースの内腔１１に設けられた第１導電部１１０を有する。ダイレーターは、電源部１２０と、電源部に接続したコイル部１３０と、電源部及びコイル部に接続した第２導電部１４０と、を有する。コイル部は、イントロデューサー用シースの内腔にダイレーターを挿入した状態で、第１導電部と第２導電部とが接触し、電源部、コイル部、第１導電部および第２導電部により形成される電気回路によって、磁力を発生する。【選択図】図３
2018126453.tif 000002
【特許請求の範囲】
【請求項１】
外側カテーテルと、
前記外側カテーテルの内腔に挿入可能な内側カテーテルと、を備え、
前記外側カテーテルは、前記外側カテーテルの内腔に設けられた第１導電部を有し、
前記内側カテーテルは、電源部と、前記電源部に接続したコイル部と、前記電源部および前記コイル部に接続した第２導電部と、を有し、
前記コイル部は、前記外側カテーテルの内腔に前記内側カテーテルを挿入した状態で、前記第１導電部と前記第２導電部とが接触し、前記電源部、前記コイル部、前記第１導電部および前記第２導電部により形成される電気回路によって、磁力を発生する、医療用長尺体。
【請求項２】
前記外側カテーテルは、生体管腔に挿入可能な第１チューブ体と、前記第１チューブ体の内腔と連通する内部空間を有し、前記第１チューブ体の基端側に配置された第１ハブと、を備え、
前記内側カテーテルは、前記第１チューブ体の内腔に挿入可能な第２チューブ体と、前記第２チューブ体の内腔と連通する内部空間を有し、前記第２チューブ体の基端側に配置された第２ハブと、を備え、
前記第１導電部は、前記第１ハブの内腔を囲むように配置され、
前記コイル部は、前記第２ハブの内腔を囲むように配置される、請求項１に記載の医療用長尺体。
【請求項３】
前記第１導電部は、絶縁材料が被覆された絶縁領域と、絶縁材料が被覆されていない通電可能領域と、を有し、
前記コイル部は、前記外側カテーテルの内腔に前記内側カテーテルを挿入した状態で、前記通電可能領域と前記第２導電部とが接触し、磁力を発生する、請求項１または請求項２に記載の医療用長尺体。
【請求項４】
前記外側カテーテルは、前記外側カテーテルの外表面に前記通電可能領域の位置を表示するマーカー部を有する、請求項３に記載の医療用長尺体。
【請求項５】
前記コイル部は、磁性体を含むチューブ部材と、前記チューブ部材の外表面に螺旋状に配置された線状体と、を有する、請求項１〜４のいずれか１項に記載の医療用長尺体。
【請求項６】
前記外側カテーテルは、止血弁と、前記止血弁を固定するキャップ部材と、を有し、
前記キャップ部材は、磁性体を含む、請求項１〜５のいずれか１項に記載の医療用長尺体。
【請求項７】
外側カテーテルと、
前記外側カテーテルの内腔に挿入可能な内側カテーテルと、を備え、
前記外側カテーテルは、電源部と、前記電源部に接続したコイル部と、前記電源部及び前記コイル部に接続した第１導電部と、を有し、
前記内側カテーテルは、当該内側カテーテルの外表面に設けられた第２導電部と、磁石および電磁石と吸着可能な磁性体部と、を有し、
前記コイル部は、前記外側カテーテルの内腔に前記内側カテーテルを挿入した状態で、前記第１導電部と前記第２導電部とが接触し、前記電源部、前記コイル部、前記第１導電部及び前記第２導電部により形成される電気回路によって、磁力を発生する、医療用長尺体。
【請求項８】
前記第２導電部は、絶縁材料が被覆された絶縁領域と、絶縁材料が被覆されていない通電可能領域と、を有し、
前記コイル部は、前記外側カテーテルの内腔に前記内側カテーテルを挿入した状態で、前記第１導電部と前記通電可能領域とが接触し、磁力を発生する、請求項７に記載の医療用長尺体。
【請求項９】
前記外側カテーテルは、前記外側カテーテルの外表面に前記通電可能領域の位置を表示するマーカー部を有する、請求項８に記載の医療用長尺体。
【請求項１０】
前記外側カテーテルは、イントロデューサー用シースであり、
前記内側カテーテルは、ダイレーターである、請求項１〜９のいずれか１項に記載の医療用長尺体。
【発明の詳細な説明】
【技術分野】
【０００１】
本発明は、外側カテーテルと、外側カテーテルの内腔に挿入可能な内側カテーテルを有する医療用長尺体に関する。
【背景技術】
【０００２】
医療分野では、カテーテル等の治療デバイスを用いた血管内の診断や治療が行われている。このような治療では、血管等の生体管腔に治療デバイスを挿入するため、外側カテーテルと、外側カテーテルの内腔に挿入可能な内側カテーテルと、を備える医療用長尺体が使用される。例えば、医療用長尺体は、イントロデューサー用シース（外側カテーテル）と、イントロデューサー用シースの内腔に挿入可能なダイレーター（内側カテーテル）である。医療用長尺体は、外側カテーテルを介して各種カテーテル等の医療器具を生体管腔に挿入する手技に用いられる。
【０００３】
医療用長尺体は、生体管腔に挿入する際、外側カテーテルの剛性を高めるため、外側カテーテルの内腔に内側カテーテルを挿入した状態で使用される。この際、医療用長尺体は、外側カテーテルと内側カテーテルの位置関係が動かないように外側カテーテルの内腔に内側カテーテルが挿入された状態において固定される。内側カテーテルと外側カテーテルの固定機構としては、内側カテーテルと外側カテーテルを機械的な嵌合機構により固定する方法等が知られている（例えば、特許文献１参照）。
【先行技術文献】
【特許文献】
【０００４】
【特許文献１】特開平０７−１１６２６１号公報
【発明の概要】
【発明が解決しようとする課題】
【０００５】
しかしながら、機械的な嵌合機構により内側カテーテルと外側カテーテルを固定する場合、術者は、外側カテーテルの内腔に内側カテーテルを挿入した状態で、内側カテーテル及び外側カテーテルの一部が嵌合するように内側カテーテル又は外側カテーテルを押し込む必要がある。すなわち、術者は、内側カテーテルと外側カテーテルを固定する力を外部から加える必要がある。そのため、術者は、医療用長尺体の持ち方等により外部からの力の伝達が難しい場合、内側カテーテルと外側カテーテルを固定する操作を円滑に行えない場合がある。
【０００６】
本発明は上述した課題に鑑みてなされたものであり、内側カテーテルと外側カテーテルを固定する操作を円滑に行える医療用長尺体を提供することを目的とする。
【課題を解決するための手段】
【０００７】
上記目的を達成するための本発明の医療用長尺体は、外側カテーテルと、外側カテーテルの内腔に挿入可能な内側カテーテルと、を備える。外側カテーテルは、外側カテーテルの内腔に設けられた第１導電部を有する。内側カテーテルは、電源部と、電源部に接続したコイル部と、電源部及びコイル部に接続した第２導電部と、を有する。コイル部は、外側カテーテルの内腔に内側カテーテルを挿入した状態で、第１導電部と第２導電部とが接触し、電源部、コイル部、第１導電部および第２導電部により形成される電気回路によって、磁力を発生する。
【０００８】
上記目的を達成するための本発明の医療用長尺体は、外側カテーテルと、外側カテーテルの内腔に挿入可能な内側カテーテルと、を備える。外側カテーテルは、電源部と、電源部に接続したコイル部と、電源部及びコイル部に接続した第１導電部と、を有する。内側カテーテルは、当該内側カテーテルの外表面に設けられた第２導電部と、磁石及び電磁石と吸着可能な磁性体部と、を有する。コイル部は、外側カテーテルの内腔に内側カテーテルを挿入した状態で、第１導電部と第２導電部とが接触し、電源部、コイル部、第１導電部及び第２導電部により形成される電気回路によって、磁力を発生する。
【発明の効果】
【０００９】
本発明に係る医療用長尺体によれば、コイル部は、外側カテーテルの内腔に内側カテーテルを挿入した状態で、第１導電部と第２導電部とが接触し、磁力を発生する。これにより、内側カテーテルにコイル部を設けた場合、コイル部と第１導電部との間に吸引力が生じ、内側カテーテルと外側カテーテルが固定される。また、外側カテーテルにコイル部を設けた場合、コイル部と磁性体部との間に吸引力が生じ、内側カテーテルと外側カテーテルが固定される。そのため、医師等の術者は、外側カテーテルの内腔に内側カテーテルを挿入して組立体を作成する場合、内側カテーテルと外側カテーテルを固定する力を外部から加える必要がない。従って、内側カテーテルと外側カテーテルを固定する操作を円滑に行える医療用長尺体を提供できる。
【図面の簡単な説明】
【００１０】
【図１】実施形態１に係る医療用長尺体を示す図である。
【図２】実施形態１に係るイントロデューサー用シースの断面図である。
【図３】図２の破線部３を拡大して示す断面図であって、図３（Ａ）は、ダイレーターとイントロデューサー用シースとの固定が完了する前の断面図であり、図３（Ｂ）は、ダイレーターとイントロデューサー用シースとの固定が完了した状態の断面図である。
【図４】図３（Ｂ）の４−４線に沿う断面図である。
【図５】実施形態１に係るイントロデューサー用シースの平面図である。
【図６】実施形態１の変形例１に係る医療用長尺体を示す図３（Ｂ）に対応する断面図である。
【図７】実施形態１の変形例２に係るダイレーターの平面図である。
【図８】図８（Ａ）は、実施形態１の変形例３に係る医療用長尺体を示す図３（Ｂ）に対応する断面図であり、図８（Ｂ）は、実施形態１の変形例３に係る医療用長尺体の第１導電部の平面図である。
【図９】実施形態２に係る医療用長尺体を示す図３（Ｂ）に対応する断面図である。
【図１０】実施形態２に係る医療用長尺体を示す図４に対応する断面図である。
【図１１】実施形態２に係るイントロデューサー用シースの平面図である。
【発明を実施するための形態】
【００１１】
（実施形態１）
以下、各図を参照して本実施形態に係る医療用長尺体１を説明する。
【００１２】
図１〜６は、本実施形態に係る医療用長尺体１の各部を説明するための図である。
【００１３】
図１を参照して、本明細書では、医療用長尺体１において、イントロデューサー用シース１０のハブ４０およびダイレーターハブ９０が配置される側（図１中の上側）を「基端側」と称する。医療用長尺体１において基端側とは反対側に位置し、生体管腔内に導入される側（図１中の下側）を「先端側」と称する。また、イントロデューサー用シース１０およびダイレーター２０が延伸する方向（図１中の上下方向）を「軸方向」と称する。また、「先端部」とは、先端（最先端）およびその周辺を含む一定の範囲を意味し、「基端部」とは、基端（最基端）およびその周辺を含む一定の範囲を意味するものとする。
【００１４】
また、「外表面」とは、部材（イントロデューサー用シース１０およびダイレーター２０等）の表面のうち、外部から視認可能な表面を意味するものとする。また、「外周面」とは、部材（カテーテル本体３０およびダイレーター本体８０等）の外表面のうち、イントロデューサー用シース１０およびダイレーター２０の軸方向に略平行な面をいう。
【００１５】
図１に示すように、本実施形態に係る医療用長尺体１は、概説すれば、イントロデューサー用シース１０（外側カテーテルに相当）と、イントロデューサー用シース１０の内腔１１に挿入可能なダイレーター２０（内側カテーテルに相当）と、を有している。図２を参照して、イントロデューサー用シース１０は、イントロデューサー用シース１０の内腔１１に設けられた第１導電部１１０を有する。図３を参照して、ダイレーター２０は、電源部１２０と、電源部１２０に接続したコイル部１３０と、電源部１２０およびコイル部１３０に接続した第２導電部１４０と、を有する。そして、コイル部１３０は、イントロデューサー用シース１０の内腔１１にダイレーター２０を挿入した状態で、第１導電部１１０と第２導電部１４０とが接触し、電源部１２０、コイル部１３０、第１導電部１１０および第２導電部１４０により形成される電気回路によって、磁力を発生する。以下、イントロデューサー用シース１０およびダイレーター２０について詳説する。
【００１６】
イントロデューサー用シース１０は、血管等の生体管腔内に留置され、生体内と生体外を繋ぐアクセス経路を形成する。例えば、イントロデューサー用シース１０は、生体管腔に留置された状態で、その内腔１１にカテーテル、ガイドワイヤー等の医療器具を挿通して、それらを生体管腔に挿入するために使用される。なお、生体管腔に挿入したガイドワイヤー、カテーテル等を使用して、例えば、経皮的冠動脈形成術（ＰＴＣＡ／ＰＣＩ）などの手技（以下、目的の手技）を行うことができる。経皮的冠動脈形成術のアプローチ法として、足の血管からイントロデューサー用シース１０から導入するＴＦＩ（Ｔｒａｎｓ  Ｆｅｍｏｒａｌ  ｉｎｔｅｒｖｅｎｔｉｏｎ）や腕からイントロデューサー用シース１０を導入するＴＲＩ（Ｔｒａｎｓ  Ｒａｄｉａｌ  ｉｎｔｅｒｖｅｎｔｉｏｎ）がある。
【００１７】
図２を参照して、イントロデューサー用シース１０は、カテーテル本体３０（第１チューブ体に相当）と、ハブ４０（第１ハブに相当）と、止血弁５０と、キャップ６０（キャップ部材に相当）と、ストレインリリーフ７０と、を有する。イントロデューサー用シース１０は、第１導電部１１０をさらに有する。
【００１８】
カテーテル本体３０は、生体管腔に挿入される部分であり、内腔１１を有する略円筒形状の管状部材で構成されている。
【００１９】
カテーテル本体３０は、先端部３１と、先端部３１よりも基端側に位置する本体部３２と、本体部３２の基端側に位置する基端部３３と、を有する。先端部３１は、テーパー状の形状を有する。基端部３３は、ハブ４０の連結部４３に固定されている。
【００２０】
カテーテル本体３０の構成材料としては、特に限定されないが、例えば、ポリオレフィン、ポリ塩化ビニル、ポリアミド、ポリエステル、ポリウレタン、フッ素樹脂、ポリカーボネート、ポリスチレン、ポリアセタール、ポリイミド、ポリエーテルイミド、ポリエーテルエーテルケトンなどの高分子材料またはこれらの混合物などを用いることができる。
【００２１】
カテーテル本体３０の外周面３４には、湿潤時に表面潤滑性を付与する親水性潤滑層３５が配置されている。親水性潤滑層３５を構成する材料は、水性溶媒との接触時に親水性及び膨潤性を示す材料であれば特に制限されず、公知の材料が使用できる。
【００２２】
ハブ４０は、カテーテル本体３０の基端側に配置されている。ハブ４０は、内部空間４１と、サイドポート４２と、を有する。
【００２３】
内部空間４１は、イントロデューサー用シース１０の内腔１１と連通する。内部空間４１には、止血弁５０が配置される。
【００２４】
図１を参照して、サイドポート４２には、可撓性を有するチューブ５の一端が液密に接続される。チューブ５の他端は、三方活栓６が装着される。サイドポート４２は、三方活栓６のポートからチューブ５を介してイントロデューサー用シース１０の内腔１１に、例えば生理食塩水のような液体を注入することが可能となっている。チューブ５は、例えば、ポリ塩化ビニル製の公知のチューブで構成することができる。
【００２５】
ハブ４０の構成材料としては、特に限定されないが、硬質樹脂のような硬質材料が好適である。硬質樹脂の具体例としては、例えば、ポリエチレン、ポリプロピレン等のポリオレフィン、ポリアミド、ポリカーボネート、ポリスチレン等が挙げられる。
【００２６】
図２を参照して、止血弁５０は、ハブ４０の内部空間４１に配置されている。止血弁５０は、ハブ４０の基端部４４に取り付けられている。止血弁５０は、略楕円形の膜状（円盤状）である。止血弁５０は、カテーテル本体３０内に流れ込んだ血液が外部へ漏洩することを防止する。
【００２７】
止血弁５０の構成材料としては、特に限定されないが、例えば、弾性部材であるシリコーンゴム、ラテックスゴム、ブチルゴム、イソプレンゴム等が挙げられる。
【００２８】
キャップ６０は、止血弁５０を固定する。具体的には、キャップ６０は、止血弁５０と当接し、ハブ４０とキャップ６０の間で止血弁５０を挟持することで、止血弁５０を内部空間４１に固定する。
【００２９】
ストレインリリーフ７０は、カテーテル本体３０およびハブ４０に対して外嵌されている。ストレインリリーフ７０は、ハブ４０の先端部４５を覆い、かつ、カテーテル本体３０の基端側の所定範囲を囲んでいる。
【００３０】
ストレインリリーフ７０の構成材料としては、特に限定されないが、例えば、天然ゴム、シリコーン樹脂等が挙げられる。
【００３１】
次に、図１および図３を参照して、ダイレーター２０を説明する。
【００３２】
ダイレーター２０は、イントロデューサー用シース１０の内腔１１に挿入可能に構成される。ダイレーター２０は、イントロデューサー用シース１０の内腔１１に挿入された状態において、イントロデューサー用シース１０に固定される。
【００３３】
ダイレーター２０は、ダイレーター本体８０（第２チューブ体に相当）と、ダイレーターハブ９０（第２ハブに相当）と、を有する。ダイレーター２０は、電源部１２０と、コイル部１３０と、第２導電部１４０と、をさらに有する。
【００３４】
ダイレーター本体８０は、イントロデューサー用シース１０の内腔１１に挿入可能に構成される。ダイレーター本体８０は、内腔８１を有する略円筒形状の管状部材で構成されている。ダイレーター本体８０の先端部８２は、先端側へ向けて先細るテーパー形状に形成している（図１参照）。
【００３５】
ダイレーター本体８０は、イントロデューサー用シース１０とダイレーター２０が固定された状態において、その先端部８２が、カテーテル本体３０の先端部３１から突出した状態となる。医療用長尺体１は、ダイレーター本体８０がイントロデューサー用シース１０の内腔１１に挿入され、ダイレーター本体８０の先端部８２がカテーテル本体３０の先端部３１から突出したイントロデューサー組立体の状態において、生体管腔に挿入される。これにより、イントロデューサー用シース１０は、医療用長尺体１を生体管腔に挿入する際に、ダイレーター本体８０の先端部８２により皮膚の穿孔を広げるとともに、カテーテル本体３０が折れることを防止できる。
【００３６】
ダイレーター本体８０を構成する材料は、特に制限されず、ダイレーター本体８０として従来使用されるのと同様の材料を使用できる。具体的には、ポリプロピレン（ＰＰ）、ポリオレフィン、ポリエステル、ポリフッ化ビニリデン（ＰＶＤＦ）、フッ素系ポリマーなどが挙げられる。
【００３７】
ダイレーターハブ９０は、ダイレーター本体８０の基端側に配置されている。ダイレーターハブ９０の構成材料としては、特に限定されないが、硬質樹脂のような硬質材料が好適である。硬質樹脂の具体例としては、例えば、ポリエチレン、ポリオレフィン、ポリアミド、ポリカーボネート、ポリスチレン等が挙げられる。
【００３８】
次に、第１導電部１１０、電源部１２０、コイル部１３０および第２導電部１４０を詳説する。
【００３９】
図３を参照して、第１導電部１１０と第２導電部１４０は、イントロデューサー用シース１０の内腔１１にダイレーター２０を挿入した状態において互いに接触する。第１導電部１１０と第２導電部１４０が接触することにより、電源部１２０、コイル部１３０、第１導電部１１０および第２導電部１４０により電気回路が形成される。なお、電源部１２０と、コイル部１３０と、第２導電部１４０は、絶縁性を備えた外装部材を有する電線Ｌを介して接続されている。
【００４０】
第１導電部１１０は、導電性を備える材料により構成される。また、第１導電部１１０は、磁石や電磁石と吸着する磁性体材料により構成される。例えば、第１導電部１１０は、導電性を備え、かつ、磁石や電磁石の磁界の磁気誘導により磁化する磁性体である。第１導電部１１０を構成する材料は、導電性および強磁性を備えている限りにおいて特に限定されず、例えば、鉄、マルテンサイト系、フェライト系またはオーステナイト・フェライト系（二相系）のステンレス鋼などの金属を使用できる。
【００４１】
第２導電部１４０を構成する材料は、導電性を備えている限りにおいて特に限定されず、例えば、鉄、ステンレス、アルミ、銅などの金属を使用できる。
【００４２】
電源部１２０は、電線Ｌを介してコイル部１３０と第２導電部１４０に接続されている。電源部１２０は、第１導電部１１０と第２導電部１４０が接触した状態において、コイル部１３０に電力を供給する。電源部１２０を構成する電源の種類は特に限定されず、例えば、全固体電池、具体的には、フィルム型リチウムイオン電池やシリコン基板埋め込み型リチウムイオン電池等を使用できる。電源部１２０は、フィルム型リチウムイオン電池やシリコン基板埋め込み型リチウムイオン電池を使用することによって小型化できる。また、電源部１２０は、可撓性を備えたフィルム型リチウムイオン電池を使用することによって、電源部１２０を設置する空間の形状の設計自由度が増し、医療用長尺体１の小型化が容易になるとともに、意匠性を向上させることができる。
【００４３】
コイル部１３０は、第１導電部１１０と第２導電部１４０が接触し、電源部１２０、コイル部１３０、第１導電部１１０および第２導電部１４０により形成される電気回路によって、電磁石を形成し、磁力を発生する。例えば、図３において、コイル部１３０は、電磁石を形成した際、第１導電部１１０と吸着する。
【００４４】
上述したように、コイル部１３０は、第１導電部１１０と第２導電部１４０の接触により電力が供給された際、電磁石を形成し、磁力を発生させる。すなわち、コイル部１３０は、第１導電部１１０と第２導電部１４０が接触していない際、電磁石を形成せず、磁力を発生させない。そのため、電源部１２０は、第１導電部１１０と第２導電部１４０が接触していない際、電源部１２０、コイル部１３０、第１導電部１１０、第２導電部１４０からなる電気回路を形成しないため、コイル部１３０に電力を供給しなくてもよい。これにより、電源部１２０は、コイル部１３０が常時磁力を発生させる場合と比較して、電源の容量は小さくてよい。
【００４５】
図３および図４を参照して、第１導電部１１０は、ハブ４０の内腔４６を囲むように配置されている。具体的には、第１導電部１１０は、ハブ４０の内腔４６において、カテーテル本体３０の基端部３３の内表面又はハブ４０の内部空間４１を形成する内表面に配置される。
【００４６】
第１導電部１１０は、リング状の形状を備えている。第１導電部１１０の中心軸は、カテーテル本体３０の内腔１１の軸心と一致する。第１導電部１１０は、カテーテル本体３０の径方向内方に臨む内周面１１３を備える。イントロデューサー用シース１０は、イントロデューサー用シース１０の内腔１１にダイレーター２０が挿入された状態において、第１導電部１１０の内周面１１３とダイレーター本体８０の外周面８３の間にクリアランスが存在する。
【００４７】
第１導電部１１０と第２導電部１４０は、互いに接触した状態において、第１導電部１１０の中心軸を中心とした回転動作により、コイル部１３０の通電状態とコイル部１３０の非通電状態を切換え可能に構成される。例えば、コイル部１３０の通電状態とコイル部１３０の非通電状態の切換えは、第１導電部１１０の中心軸を中心とした９０度の回転動作により行うことができる。
【００４８】
具体的には、第１導電部１１０は、絶縁領域１１１と、通電可能領域１１２と、を有する。絶縁領域１１１は、第１導電部１１０において絶縁材料が被覆されている領域であり、通電可能領域１１２は、第１導電部１１０において絶縁材料が被覆されていない領域である。
【００４９】
絶縁材料は、電気的な絶縁性を備えている限りにおいて特に限定されないが、例えば、ポリエチレン、ポリプロピレン等のポリオレフィン、ポリ塩化ビニル、ポリエステル（ＰＥＴ、ＰＢＴ等）、ポリアミド、ポリイミド、ポリウレタン、ポリスチレン、ポリカーボネート、シリコーン樹脂、フッ素系樹脂（ＰＴＦＥ、ＥＴＦＥ、ＰＦＡ等）、セラミックまたはこれらの複合材料が挙げられる。
【００５０】
図４で示すように、絶縁領域１１１は、第１導電部１１０の内周面１１３上に配置された第１絶縁領域１１１ａと第２絶縁領域１１１ｂとを有する。第１絶縁領域１１１ａと第２絶縁領域１１１ｂは、第１導電部１１０の径方向において互いに対向している。
【００５１】
通電可能領域１１２は、第１導電部１１０の内周面１１３上に配置された第１通電可能領域１１２ａと第２通電可能領域１１２ｂとを有する。第１通電可能領域１１２ａと第２通電可能領域１１２ｂは、第１導電部１１０の径方向において互いに対向している。絶縁領域１１１と通電可能領域１１２は、第１導電部１１０の内周面１１３上において重複しない位置に配置されている。
【００５２】
第２導電部１４０は、ダイレーター本体８０の外周面８３において互いに離間して配置された第１接触体１４１と第２接触体１４２とを有する。第１接触体１４１は、ダイレーター本体８０の径方向外方に臨む外周面１４１ａを有する。第２接触体１４２は、ダイレーター本体８０の径方向外方に臨む外周面１４２ａを有する。第１接触体１４１は、電線Ｌを介して電源部１２０と接続されている。第２接触体１４２は、電線Ｌを介してコイル部１３０と接続されている。コイル部１３０は、通電可能領域１１２ａ、１１２ｂと第２導電部１４０の外周面１４１ａ、１４２ａが接触することによって、磁力を発生する。
【００５３】
図４および図５を参照して、イントロデューサー用シース１０は、マーカー部１５０を有する。マーカー部１５０は、イントロデューサー用シース１０の基端側の外表面１０Ｓに配置されており、通電可能領域１１２の位置を表示する。具体的には、マーカー部１５０は、イントロデューサー用シース１０の基端側に配置されるハブ４０の外表面又はキャップ６０の外表面に配置され、イントロデューサー用シース１０の周方向における通電可能領域１１２の位置を表示する。医師等の術者は、イントロデューサー用シース１０の内腔１１にダイレーター２０を挿入する際に、マーカー部１５０を視認することによって、通電可能領域１１２に第２導電部１４０を接触させる操作を容易に行える。
【００５４】
コイル部１３０は、ダイレーターハブ９０の内腔９１を囲むように配置されている。例えば、図３に示すように、コイル部１３０は、ダイレーターハブ９０の内腔９１を囲むようにダイレーターハブ９０に埋め込まれている。また、コイル部１３０の中心軸は、ダイレーター本体８０の中心軸と一致している。なお、コイル部１３０の中心軸とダイレーター本体８０の中心軸が一致するとは、完全に２つの中心軸が一致している場合に限られず、コイル部１３０の中心軸とダイレーター本体８０の中心軸が製造上の誤差を無視すれば一致している場合も含まれる。
【００５５】
コイル部１３０は、チューブ部材１３１と、チューブ部材１３１を周囲に配置された線状体１３２と、を有する。
【００５６】
チューブ部材１３１は、磁性体を含んでなる。具体的には、チューブ部材１３１は、その構成材料中に磁性体を少なくとも１種類含む。磁性体の種類は特に限定されず、鉄、ケイ素鋼、パーマロイなどの合金等、磁芯材料として公知のものを使用できる。これにより、コイル部１３０は、電磁石を形成する際、磁力を強めることができる。
【００５７】
線状体１３２は、チューブ部材１３１の外表面１３１Ｓに螺旋状に配置されている。線状体１３２は、導電性を備える。線状体１３２を構成する材料は、導電性を備えている限りにおいて特に限定されず、鉄などの金属材料を使用できる。
【００５８】
第１導電部１１０と第２導電部１４０は、イントロデューサー用シース１０の内腔１１にダイレーター２０が完全に挿入されるよりも前に接触を開始する（図３（Ａ）参照）。第１導電部１１０と第２導電部１４０は、イントロデューサー用シース１０のハブ４０とダイレーターハブ９０の間の距離が、例えば３〜５ｍｍ程度になったときに接触する。
【００５９】
本実施形態に係る医療用長尺体１によれば、コイル部１３０は、イントロデューサー用シース１０の内腔１１にダイレーター２０を挿入した状態で、第１導電部１１０と第２導電部１４０とが接触し、磁力を発生する。これにより、ダイレーター２０のコイル部１３０とイントロデューサー用シース１０の第１導電部１１０との間に吸引力が生じ、ダイレーター２０とイントロデューサー用シース１０が固定される。そのため、術者は、イントロデューサー用シース１０の内腔１１にダイレーター２０を挿入して組立体を形成する場合、ダイレーター２０とイントロデューサー用シース１０を固定する力を外部から加える必要がない。従って、イントロデューサー用シースとダイレーターを固定する操作を円滑に行える医療用長尺体を提供できる。
【００６０】
また、第１導電部１１０は、ハブ４０の内腔４６を囲むように配置されている。これにより、第１導電部１１０の内周面１１３は、カテーテル本体３０の径方向において、カテーテル本体３０の中心から遠い位置に配置できる。そのため、イントロデューサー用シース１０の内腔１１にダイレーター２０を挿入する際、第１導電部１１０の内周面１１３とダイレーター本体８０の外周面８３の間のクリアランスをより大きくできるから、術者は、イントロデューサー用シース１０の内腔１１にダイレーター２０をより容易に挿入できる。従って、イントロデューサー用シースとダイレーターとを固定する操作をより円滑に行える。
【００６１】
また、コイル部１３０は、ダイレーターハブ９０の内腔９１を囲むように配置されている。これにより、コイル部１３０は、ダイレーター本体８０の外径を大きくせずに、ダイレーター２０に配置することができる。そのため、コイル部１３０は、カテーテル本体３０の内腔８１にダイレーター本体８０を挿入する際、ダイレーター本体８０に凸部を形成し、挿入時の抵抗を生じさせることがない。また、ダイレーターハブ９０は、イントロデューサー用シース１０の内腔１１にダイレーター２０を挿入する際、カテーテル本体３０の内腔１１に挿入されず、かつ、イントロデューサー用シース１０のハブ４０の表面に近づいていく。そのため、コイル部１３０は、カテーテル本体３０の内腔１１にダイレーター本体８０を挿入する際の抵抗にならず、かつ、第１導電部１１０との間により吸引力を生じさせやすい。従って、医療用長尺体１を使用した手技がより容易になる。
【００６２】
また、コイル部１３０は、ダイレーター本体８０の内腔８１を囲むように配置されている。これにより、コイル部１３０の中心軸は、ダイレーター本体８０の内腔８１に存在する。そして、コイル部１３０が発生させる磁力は、コイル部１３０の中心軸を中心に点対称に分布する。そのため、ダイレーター本体８０の内腔８１に挿通するガイドワイヤーなどの医療器具は、コイル部１３０が発生させる磁力によって、ダイレーター本体８０の内腔８１の内壁側に吸引されることはない。従って、医療用長尺体１を使用した手技をさらに容易に行える。
【００６３】
また、ハブ４０は、カテーテル本体３０の基端側に配置される。また、第１導電部１１０は、ハブ４０の内腔４６を囲むように配置される。これにより、第１導電部１１０は、カテーテル本体３０の先端部３１から遠い位置に配置される。そのため、イントロデューサー用シース１０を生体管腔に挿入した際に、イントロデューサー用シース１０の先端側から内腔１１に血液等が流入した場合であっても、第１導電部１１０に血液等が付着することを防止できる。
【００６４】
また、第２導電部１４０は、絶縁材料が被覆された絶縁領域１１１と、絶縁材料が被覆されていない通電可能領域１１２と、を有する。そのため、術者は、第１導電部１１０と第２導電部１４０が接触した状態で、第１導電部１１０を通電可能領域１１２に接触した状態から絶縁領域１１１に接触した状態に移動させることによって、コイル部１３０に発生した磁力を消滅させることができる。そのため、固定されたイントロデューサー用シース１０とダイレーター２０とを分離する操作が容易になる。
【００６５】
また、イントロデューサー用シース１０は、イントロデューサー用シース１０の基端側の外表面１０Ｓに、通電可能領域１１２の位置を表示するマーカー部１５０を有する。これにより、術者は、イントロデューサー用シース１０の内腔１１にダイレーター２０を挿入する際に、通電可能領域１１２と第１導電部１１０とを接触させる操作がより容易になる。そのため、イントロデューサー用シース１０とダイレーター２０とを固定する操作をより円滑に行える。
【００６６】
また、コイル部１３０は、磁性体を含むチューブ部材１３１と、チューブ部材１３１の外表面１３１Ｓに螺旋状に配置された線状体１３２と、を有する。これにより、コイル部１３０は、線状体１３２の内側に磁性体を有するため、コイル部１３０に発生する磁力を強くすることができる。そのため、イントロデューサー用シース１０とダイレーター２０を固定する力をより強固にできる。
【００６７】
（変形例１）
キャップ６０は、磁性体を含んでもよい。具体的には、キャップ６０は、その構成材料の１つとして磁性体を含んでもよい。また、図６を参照して、キャップ６０は、磁性体を含むリング状の部材６１を止血弁５０側に有していてもよい。これにより、コイル部１３０は、第１導電部１１０と第２導電部１４０を接触させた際、第１導電部１１０よりも近い位置に配置されるキャップ６０との間でも吸引力を生じさせる。なお、磁性体の種類は特に限定されず、第１導電部１１０の材料として上述した材料と同様の材料を使用できる。
【００６８】
コイル部１３０は、キャップ６０が磁性体を含むことにより、コイル部１３０と第１導電部１１０との間に生じる吸引力に加えて、コイル部１３０とキャップ６０との間に生じる吸引力も生じるため、イントロデューサー用シース１０とダイレーター２０をより簡便に固定できる。そのため、イントロデューサー用シース１０とダイレーター２０は、コイル部１３０、第１導電部１１０、キャップ６０により、より強固に固定できる。
【００６９】
（変形例２）
図７を参照して、ダイレーター２０は、ダイレーター２０の基端側の外表面２０Ｓに第２導電部１４０の位置を表示するダイレーター２０側のマーカー部１６０を有してもよい。マーカー部１６０は、ダイレーター２０の基端側に配置されるダイレーターハブ９０の外表面に配置され、ダイレーター本体８０の周方向における第２導電部１４０の位置を表示する。
【００７０】
術者は、ダイレーター２０に設けられたマーカー部１６０を視認することによって、イントロデューサー用シース１０の内腔１１にダイレーター２０を挿入する際に、通電可能領域１１２と第２導電部１４０を接触させる操作がより容易になる。
【００７１】
なお、ダイレーター側のマーカー部１６０を有していない場合、術者は、ダイレーター本体８０の外周面８３に設けられた第２導電部１４０を直接的に視認することによって、第２導電部１４０の位置を確認することは可能である。
【００７２】
（変形例３）
上述した実施形態では、イントロデューサー用シース１０の内腔１１にダイレーター２０を挿入する際、第１導電部１１０の内周面１１３と第２導電部１４０の外周面１４１ａ、１４２ａが接触した。
【００７３】
しかしながら、図８（Ａ）の変形例３で示すように、医療用長尺体１は、イントロデューサー用シース１０の内腔１１にダイレーター２０を挿入する際、第１導電部１１０の基端側の面１１５と、第２導電部１４０の先端側の面１４５が接触するように構成してもよい。
【００７４】
この場合、図８（Ｂ）を参照して、第１絶縁領域１１１ａおよび第２絶縁領域１１１ｂは、第１導電部１１０の基端側の面１１５の一部に配置される。このとき、第１絶縁領域１１１ａと第２絶縁領域１１１ｂは、第１導電部１１０の径方向において互いに対向してもよい。
【００７５】
また、第１通電可能領域１１２ａおよび第２通電可能領域１１２ｂは、第１絶縁領域１１１ａおよび第２絶縁領域１１１ｂと同様に、第１導電部１１０の基端側の面１１５の一部に配置される。第１通電可能領域１１２ａと第２通電可能領域１１２ｂは、第１導電部１１０の径方向において互いに対向してもよい。
【００７６】
（実施形態２）
上述した実施形態では、コイル部１３０は、ダイレーター２０側に設けられた。しかしながら、コイル部１３０は、イントロデューサー用シース側に設けられてもよい。
【００７７】
図９〜１１は、本実施形態に係る医療用長尺体２０１の各部を説明するための図である。
【００７８】
以下、本実施形態に係る医療用長尺体２０１を説明する。なお、上述した実施形態と同一の部材については同一の符号を付して説明を省略する。
【００７９】
図９を参照して、本実施形態に係る医療用長尺体２０１は、イントロデューサー用シース２１０と、イントロデューサー用シース２１０の内腔２１１に挿入可能なダイレーター２２０と、を備える。
【００８０】
イントロデューサー用シース２１０は、第１導電部３１０と、電源部３２０と、電源部３２０に接続したコイル部３３０と、を有する。第１導電部３１０と、電源部３２０と、コイル部３３０とは、電線Ｌを介して接続されている。
【００８１】
コイル部３３０は、イントロデューサー用シース２１０の内腔２１１にダイレーター２２０を挿入した状態で、第１導電部３１０と第２導電部３４０が接触し、電源部３２０、コイル部３３０、第１導電部３１０及び第２導電部３４０により形成される電気回路によって、磁力を発生する。
【００８２】
イントロデューサー用シース２１０において、コイル部３３０は、磁性体であるチューブ部材３３１と、チューブ部材３３１の外表面３３１Ｓに螺旋状に配置された線状体３３２と、を有する。コイル部３３０の中心軸は、イントロデューサー用シース２１０の中心軸と一致している。チューブ部材３３１および線状体３３２を構成する材料は、特に限定されず、実施形態１において上述したチューブ部材１３１および線状体１３２の材料と同様の材料を使用できる。
【００８３】
ダイレーター２２０は、ダイレーター２２０の外表面２２０Ｓに設けられた第２導電部３４０と、磁石及び電磁石と吸着可能な磁性体部３７０と、を有する。図９に示すように、第２導電部３４０は、ダイレーター２２０のダイレーター本体２８０の外表面に配置される。
【００８４】
磁性体部３７０は、リング状の形状を有する。図９では、磁性体部３７０の断面形状が矩形形状であるが、断面形状は特に限定されない。例えば、磁性体部３７０の断面形状は、円形形状であってもよい。磁性体部３７０は、ダイレーター本体２８０の内腔２８１を囲むようにダイレーターハブ２９０に配置されている。磁性体部３７０を構成する材料は、強磁性を備えている限りにおいて特に限定されず、実施形態１に係る医療用長尺体１の第１導電部１１０を構成する材料として上述した材料と同様の材料を使用できる。磁性体部３７０の中心軸は、ダイレーター２２０の中心軸と一致している。
【００８５】
図９および図１０を参照して、第１導電部３１０は、カテーテル本体３０の外周面３４において互いに離間して配置される第１接触体３１１と第２接触体３１２を有する。
【００８６】
第１接触体３１１は、電線Ｌを介して電源部３２０と接続されている。第２接触体３１２は、電線Ｌを介してコイル部３３０と接続されている。
【００８７】
第１接触体３１１は、カテーテル本体３０の径方向外方に臨む外周面３１１ａを有する。第２接触体３１２は、カテーテル本体３０の径方向外方に臨む外周面３１２ａを有する。
【００８８】
第２導電部３４０は、絶縁領域３４１と、通電可能領域３４２と、を有する。絶縁領域３４１は、第２導電部３４０において絶縁材料が被覆されている領域であり、通電可能領域３４２は、第２導電部３４０において絶縁材料が被覆されていない領域である。絶縁材料の種類は特に限定されず、実施形態１において上述した絶縁材料と同様の材料を使用できる。
【００８９】
コイル部３３０は、イントロデューサー用シース２１０の内腔２１１にダイレーター２２０を挿入した状態で、第１導電部３１０の外周面３１１ａ、３１２ａと通電可能領域３４２とが接触し、磁力を発生する。
【００９０】
図１１を参照して、イントロデューサー用シース２１０は、イントロデューサー用シース２１０の基端側の外表面２１０Ｓにマーカー部３５０を有する。マーカー部３５０は、第１導電部３１０の位置を表示する。具体的には、マーカー部３５０は、イントロデューサー用シース２１０の基端側に配置されるハブ４０の外表面又はキャップ６０の外表面に配置され、カテーテル本体３０の周方向における第１導電部３１０の位置を表示する。術者は、イントロデューサー用シース２１０の外表面２１０Ｓに配置されたマーカー部３５０を視認することによって、第１導電部３１０と第２導電部３４０を接触させる操作をより容易に行える。
【００９１】
本実施形態に係る医療用長尺体２０１によっても、上述した実施形態１に係る医療用長尺体１と同様の作用・効果を奏する。
【００９２】
以上、実施形態およびその変形例を通じて医療用長尺体を説明したが、本発明は実施形態およびその変形例において説明した構成のみに限定されることはなく、特許請求の範囲の記載に基づいて適宜変更することが可能である。
【００９３】
例えば、第１接触体１４１、３１１と第２接触体１４２、３１２は、ダイレーター本体８０、２８０の周方向において対向する位置に配置されていた。しかしながら、第１接触体１４１、３１１と第２接触体１４２、３１２は、互いに離間されていればよく、ダイレーター本体８０、２８０の周方向において、任意の角度で離間していてよい。しかしながら、第１接触体１４１、３１１と第２接触体１４２、３１２は、ダイレーター本体８０、２８０の周方向において対向する位置に配置した方が、第１接触体１４１、３１１と第２接触体１４２、３１２との間の離間距離を大きくできる。そのため、ダイレーター本体８０、２８０の周方向において対向する位置に第１接触体１４１、３１１と第２接触体１４２、３１２を配置した場合、意図しないタイミングで第１接触体１４１、３１１と第２接触体１４２、３１２とが通電することを防止できる。なお、第１接触体１４１、３１１と第２接触体１４２、３１２は、ダイレーター本体８０、２８０の軸方向において離間する構成としてもよい。
【００９４】
また、実施形態１において、マーカー部１５０は、通電可能領域１１２を表示したが、絶縁領域１１１の位置を表示してもよい。
【００９５】
また、実施形態２では、通電可能領域３４２の位置を表示するマーカー部として、実施形態１の変形例４において上述したダイレーター側のマーカー部１６０と同様の形態のマーカー部をダイレーター２２０の外表面２２０Ｓに配置してもよい。これにより、術者は、イントロデューサー用シース１０の内腔１１にダイレーター２０を挿入する際に、第１導電部３１０と通電可能領域３４２とを接触させる操作がより容易になる。
【００９６】
なお、通電可能領域３４２の位置を表示するマーカー部をダイレーター２２０の外表面２２０Ｓに設けない場合、術者は、第２導電部３４０において絶縁材料が被覆されているか否かを直接的に視認することによって、通電可能領域３４２の位置を確認することは可能である。
【００９７】
また、上述した実施形態およびその変形例において、チューブ部材１３１は、カテーテル本体３０またはダイレーター本体８０とは別体として構成された。しかしながら、カテーテル本体３０またはダイレーター本体８０は、その一部に磁性体を含むように構成することができ、当該一部をチューブ部材として使用することも可能である。
【００９８】
また、コイル部１３０、３３０は、第１導電部１１０、３１０と第２導電部１４０、３４０とが接触することによって磁力を発生した。しかしながら、医療用長尺体は、コイル部における磁力の発生と停止を操作自在に構成されたスイッチを有してもよい。
【００９９】
また、医療用長尺体は、イントロデューサー用シースとダイレーターを固定する力を補助するために、機械的な嵌合機構を有していてもよい。例えば、医療用長尺体は、機械的な嵌合機構として、イントロデューサー用シース側に設けられた係合爪と、ダイレーター側に設けられた係合爪と、を有してもよい。
【符号の説明】
【０１００】
１、２０１    医療用長尺体、
１０、２１０        イントロデューサー用シース（外側カテーテル）、
１０Ｓ、２１０Ｓ    イントロデューサー用シースの外表面、
１１、２１１        イントロデューサー用シースの内腔、
２０、２２０        ダイレーター（内側カテーテル）、
２０Ｓ、２２０Ｓ    ダイレーターの外表面、
３０                カテーテル本体（第１チューブ体）、
３４                カテーテル本体の外周面、
４０                ハブ（第１ハブ）、
４１                内部空間、
５０                止血弁、
６０                キャップ、
６１                リング状の部材（磁性体）、
７０                ストレインリリーフ、
８０、２８０        ダイレーター本体（第２チューブ体）、
８１、２８１        ダイレーター本体の内腔、
８２                先端部、
８３                ダイレーター本体の外周面、
９０、２９０        ダイレーターハブ（第２ハブ）、
９１                ダイレーターハブの内腔、
１１０、３１０      第１導電部、
１１１、３４１      絶縁領域、
１１２、３４２      通電可能領域、
１２０、３２０      電源部、
１３０、３３０      コイル部、
１３１、３３１      チューブ部材、
１３１Ｓ、３３１Ｓ  チューブ部材の外表面、
１３２、３３２      線状体、
１４０、３４０      第２導電部、
１５０、３５０      マーカー部。
【図１】
2018126453.tif 000003
【図２】
2018126453.tif 000004
【図３】
2018126453.tif 000005
【図４】
2018126453.tif 000006
【図５】
2018126453.tif 000007
【図６】
2018126453.tif 000008
【図７】
2018126453.tif 000009
【図８】
2018126453.tif 000010
【図９】
2018126453.tif 000011
【図１０】
2018126453.tif 000012
【図１１】
2018126453.tif 000013